(57)【要約】【課題】建物出入口に大水が出たときの浸水防止のために設置される防水具であって、従来の防水具よりもより安価で、雨水が急激に増大する緊急時にも迅速に対応することができ、また不使用時には格納する必要がなく、目に付いても外観を損なうことのない防水具を提供する。【解決手段】通常は建物出入口２０の両側の出入りに邪魔とならない位置に配置される花木栽培用或いは菜園用のプランターよりなり、増水により出入口２０からの侵入が予想される緊急時には出入口両側のプランターを出入口２０に移し、防水具として使用する。【選択図】図１１
2019002172.tif 000002
【特許請求の範囲】
【請求項１】
土砂が入れられる植物栽培用のプランターよりなり、常にはプランターとして設置されると共に、増水時の異常時には建物出入口の浸水防止のために建物出入口に移して設置されることを特徴とする防水具。
【請求項２】
底には前記建物出入口の床面に弾接してシールするシール材が取着されることを特徴とする請求項１記載の防水具。
【請求項３】
防水具は建物出入口に沿わせて並設され、隣接する防水具は連結手段により互いに取外し可能に連結されることを特徴とする請求項１又は２記載の防水具。
【発明の詳細な説明】
【技術分野】
【０００１】
本発明は、建物の出入口に浸水被害を軽減するために設置される防水具に関する。
【背景技術】
【０００２】
近年、集中豪雨などの増水により建物の出入口から浸水する被害が増えている。浸水防止対策としては従来、建物の出入口に土嚢を積み上げることが一般的に行われている。
【０００３】
浸水防止対策としてはこのほか、建物の出入口に防水板を設置することも行われ、防水板には、出入口に起伏可能又は昇降可能に設置され、浸水を検知すると、自動的に立ち上がるタイプのもの、手作業で出入口に組付けるタイプのものなどがある（特許文献１、２）。
【先行技術文献】
【特許文献】
【０００４】
【特許文献１】特開２００３−２７８４５８号
【特許文献１】特開２００５−２６４４号
【発明の概要】
【発明が解決しようとする課題】
【０００５】
前述の浸水防水対策のうち、土のうは、土嚢用袋に土を入れ、袋の口を閉じて紐で括ることにより作成され、作成後はリヤカー等の運搬具やトラック等により運搬されて建物の出入り口に積まれるが、土のうを作成して出入口に設置するまでに手間がかかり、集中豪雨等により雨水が急激に増大したときには対応できず、土嚢設置までに浸水被害がもたらされることになる。
【０００６】
出入口に防水板を予め設置しておき、雨水を検知すると自動的に立ち上がるようにしておけば、雨水が急激に増大する緊急時にも対応することができ、漏水も防止できるが、設備費が嵩み、定期的な点検も必要である。
【０００７】
この点、特許文献１及び２に開示されるタイプの防水具は、設備費が安価であるが、防水時以外は出入りに邪魔となるため取り外しておく必要があり、取外した防水具は収納ボックス等に保管しておかねばならない。また出入口への設置は、防水具を組付けることにより行うが、保管場所より取出して出入口に組付けるまでに手間が掛かり、緊急時の対応が遅れるほか、保管場所が目に付き易い所であると、外観を損なうことにもなる。
【０００８】
本発明は、前述する従来の防水具よりもより安価で、雨水が急激に増大する緊急時にも迅速に対応することができ、また目に付いても外観を損なうことのない浸水防止用の防水具を提供することを目的とする。
【課題を解決するための手段】
【０００９】
請求項１に係る発明は、土砂が入れられる植物栽培用のプランターよりなり、常にはプランターとして設置されると共に、増水時の異常時には建物出入口の浸水防止のために建物出入口に移して設置されることを特徴とする。
【００１０】
請求項２に係る発明は、請求項１に係る発明において、底には前記建物出入口の床面に弾接してシールするシール材が取着されることを特徴とし、
請求項３に係る発明は、請求項１又は２に係る発明において、防水具は建物出入口に沿わせて並設され、隣接する防水具は連結手段により互いに取外し可能に連結されることを特徴とする。
【発明の効果】
【００１１】
請求項１に係る発明によると、土砂が入れられる防水具は重量があり、その重量のため、雨水により浮き上がることなく、建物出入口の床面に密着して設置されるようになり、土のうと同様の機能を果たすようになること、防水具は既存のプランターをそのまま使用することができて安価であり、建物の出入口近くに花壇として或いは菜園として設置されていても外観を損なうことがなく、雨水が急激に増大する緊急時においても出入口に移すことが容易にでき、緊急対応が迅速に行えること等の効果を有する。
【００１２】
請求項２に係る発明によると、建物出入口に設置された防水具は、シール材により出入口床面との間がシールされ、雨水の浸水を防止ないし軽減することができる。
【００１３】
防水具は、建物出入口の巾以上の長さを有していれば単独でも使用することができるが、防水具として使用される既存のプランターは通常、出入口の巾より相当短く、出入口の全域に沿って設置するには、複数並設して出入口の巾以上の長さにすることが必要で、請求項３に係る発明のように、建物出入口に沿わせて並設した防水具を互いに連結手段で連結するようにすれば、防水具同士を密着させることができ、防水具間からの浸水防止を図ることができる。
【図面の簡単な説明】
【００１４】
【図１】防水具の正面図。
【図２】防水具の平面図。
【図３】図２のＡ−Ａ線断面図。
【図４】同Ｂ−Ｂ線断面図。
【図５】パチン錠で連結した防水具の要部正面図。
【図６】同要部の平面図。
【図７】フランジをボルトとナットで連結した防水具の要部正面図。
【図８】側端面を傾斜させ、規制板で前後の動きを規制した防水具の要部正面図。
【図９】同要部の平面図。
【図１０】出入口の両側に配置され、プランターとして使用した防水具の正面図。
【図１１】出入口に並べて設置した防水具の正面図。
【発明を実施するための形態】
【００１５】
図１は、土砂１（図３、図４参照）が入れられ、野菜や花木等の植物２(図１０、図１１参照)が栽培される長方形の箱状をなすプランターより構成される防水具３を示すもので、この防水具３は常時はプランターとして使用されるため、通常のプランターと同様、栽培される植物２の根腐され防止のため、図２に示すように底に排水用の水抜き孔４を有している。そして樹脂で一体成形されるか、或いは樹脂製の部品を組み付けることにより得られるが、その材質は、防錆又は防錆処理した金属製、例えば亜鉛メッキした鋼製或いはステンレス製であってもよい。
【００１６】
防水具３は図３及び図４に示すように前後左右に脚５を有し、前後の各脚５の底には例えば軟質ゴムないし樹脂、スポンジ等よりなるシール材６が取着、例えば貼着され、防水具３を建物出入口に設置したとき、該出入口の床面に密着して床面との間をシールできるようにしてある。
【００１７】
防水具３は、緊急時に防水具として使用する際には、建物出入口の巾に合わせて通常、複数並設されるが、その際、図１に示すように防水具間がシールされるように突き合わされる防水具３の一方の側面にシール材６が取付けられる。このシール材６は防水具３の両側面に設けてもよい。
【００１８】
なお、前記防水具３は脚５を有しないで、底面全体が出入口の床面に当たるようにしてもよい。この場合、シール材は底面全体又は底面所要部に巾方向全域にわたって取付けられる。
【００１９】
防水具３にはまた、前後両面の一側端に図３及び図４に示されるように、フック８と、該フック８に掛けられるリング状のジョイント９及び該ジョイント用のレバー１０よりなり、該レバー１０の起倒操作によりジョイント９をフック８に掛けてロックするか、或いはロックを解除してフック８より外すパチン錠を構成する構成部品のうち、ジョイント９及びレバー１０よりなるパチン錠本体１１が取付けてある。
【００２０】
防水具３の前後両面の他側端には、前記パチン錠本体１１と共にパチン錠を構成するフック８が取付けてある。図１１に示すように、並べて設置される防水具のうち、両端の防水具にはパチン錠の構成部分のうち、パチン錠本体１１或いはフック８のいずれか一方を省いてもよい。
【００２１】
前述のパチン錠は連結手段の一例を示すもので、隣接して並設される防水具３の前後において、両防水具３を取外し可能に連結しているが、前後のいずれか一方の側にのみ設けてもよい。一方の側のみ設ける場合は、後面に設けるのが望ましい。防水具３をプランターとして使用する場合、パチン錠が目に付かない方が外観上好ましいためである。
【００２２】
前記実施形態では連結手段としてパチン錠を示したが、他の連結手段を採用することもできる。
【００２３】
図７は、隣接して設置される防水具３、３´の前後の各一端にフランジ１３を突設し、向い合う両フランジ１３をボルト１４と、ナット１５により連結したもので、この実施形態においてはフランジ１３と、ボルト１４及びナット１５が連結手段を構成するものとなる。
【００２４】
図８は、隣接して設置される防水具３、３´の互いに突き合わされる側端面を同じ勾配で傾斜させ、一方の防水具３´の傾斜面が他方の防水具３の傾斜面に防水具３´の自重により密着するようにしたもので、図９に示すようにいずれか一方の防水具３又は３´には規制板１７が側方に突出して並設され、突出する規制板間に嵌合した他方の防水具３´又は３の前後の動きを規制し、防水具３及び３´の傾斜した側端面をシール材１６を介して密着状態に拘束できるようにしてある。この実施形態においては、防水具３及び３´の傾斜面と規制板１７が連結手段を構成するものとなる。
【００２５】
図１０及び図１１は、前述する防水具３の使用例を示すもので、図１０は建物出入口２０の両側の出入りに邪魔とならない位置に防水具３を設置し、プランターとして使用した例を示すもので、各防水具３には植物２が栽培され、出入口２０の両側に配置されていても何ら外観を損なうものではない。
【００２６】
図１１は、出入口２０の防水具として使用した例を示すもので、集中豪雨により雨水が急激に増大し、出入口２０より浸水し或いは浸水するおそれがあるときには、図１０に示す出入口両側の防水具３を含む防水具３を出入口２０まで移動し、複数の各防水具３を互いにくっつけて密着状態で図３及び図４に示す連結手段としてのパチン錠で連結したもので、図１０に示すようにプランターとして使用されていた防水具３をそのまま単に出入口２０まで移動させ、連結手段で連結するだけで土嚢に代わる緊急時の防水具として使用できるようになる。
【００２７】
なお防水具３は図１１に示すように、出入口２０の全域をカバーし、出入口２０からの浸水を防ぐことができるようにするために出入口２０の巾以上の長さに連結されるが、継ぎ足した防水具３が出入口２０より側方にはみ出すほどのスペースが出入口２０にあれば問題はない。
【００２８】
大雨による水嵩が増し、水位が防水具３を超え、或いは超えるおそれがあるときには、防水具３は縦方向に積み上げられ、積み上がる際、植物が邪魔になるときは、植物２は積み上げに支障とならない位置、例えば根元で切除される。
【００２９】
積み上げられることを考慮して、防水具３には、下位側の防水具３にピンを突設すると共に、上位側の防水具３にピン差込孔を形成しておくのが望ましい。ピン差込孔にピンを差し込むことで、上下の防水具を連結し、積み上げられた防水具の前後左右の動きを拘束して上下の防水具の連結がしっかりと行われるようになるからである。
【符号の説明】
【００３０】
１・・土砂
２・・植物
３、３´・・防水具
４・・水抜き孔
５・・脚
８・・フック
９・・ジョイント
１０・・レバー
１１・・パチン錠本体
１３・・フランジ
１４・・ボルト
１５・・ナット
１７・・規制板
２０・・建物出入口
【図１】
2019002172.tif 000003
【図２】
2019002172.tif 000004
【図３】
2019002172.tif 000005
【図４】
2019002172.tif 000006
【図５】
2019002172.tif 000007
【図６】
2019002172.tif 000008
【図７】
2019002172.tif 000009
【図８】
2019002172.tif 000010
【図９】
2019002172.tif 000011
【図１０】
2019002172.tif 000012
【図１１】
2019002172.tif 000013